(57)【要約】【課題】従来のフォトフレームなどの額縁は、木製や金属製であったため重量があった。そのため壁にかける際には壁に穴をあけるなどする必要があった。賃貸などの住宅環境により壁に穴をあける等できない居住者でも手軽にそして安全に写真を壁に展示できるようにすることが従来のフォトフレームでは難しかった。【解決手段】内側がくり抜かれた、軽量素材を用いた枠とその背面を全体を覆うように設けられた透明シートの背面に、複数取付けられた両面テープにて、壁面に固定するように成したことを特徴とする。また、フォトフレームに掲示物を取り付けるには、透明シートに掲示物の大きさに応じて切り込みを設け提示物を挿入し固定するか透明シートに掲示物の大きさに応じて透明ポケットを貼付けて掲示板を挿入固定する。【選択図】図１
2014094259.tif 000002
【特許請求の範囲】
【請求項１】
内側がくり抜かれた、軽量素材を用いた枠とその背面を全体を覆うように設けられた透明シートの背面に、複数取付けられた両面テープにて、壁面に固定するようにした壁張が可能なフォトフレーム。
【請求項２】
透明シートに掲示物の大きさに応じて切り込みを設け掲示物を挿入し固定した請求項１の壁張が可能なフォトフレーム。
【請求項３】
透明シートに掲示物の大きさに応じて透明ポケットを貼付けた請求項１の壁張が可能なフォトフレーム。
【発明の詳細な説明】
【技術分野】
【０００１】  本製品は、壁に穴をあけるなどの手間なく簡単で安全に写真等を飾ることができる額縁に関する物である。
【背景技術】
【０００２】  従来のフォトフレームなどの額縁は、額縁部分が木製や金属製やプラスチック製で内側はガラスや透明なプラスチックが主流である。壁に展示する場合は額縁自体の重量がかさむため壁に穴をあける形態が主流である。
【先行技術文献】
【０００３】
【特許文献１】  特開２０１１−１９４０３８号公報
【特許文献２】  登録実用新案第３１６１６２７号公報
【特許文献３】  特開２００５−５８２５１号公報
【発明の概要】
【発明が解決しようとする課題】
【０００４】特許文献３にも記載されているように、従来のフォトフレームは高価でかつ設置場所に制限があることから、たくさんの写真を用意に飾りたいという今日的欲求を満たす事ができない。
特許文献１においてフォトフレーム、および、カレンダー付きフォトフレームは、背板と、窓が設けられた表板との間に写真を入れられるようになっているフォトフレームである。構造によりフォトフレームの軽量化を図っている。しかしながら構造を簡素にする事のみで軽量化をはかっており、壁面への貼付けに耐えうる十分な軽量化がなされない可能性があった。
特許文献２において軟質フォトフレームは自己粘着力を発揮する写真透視窓が開口するシート体が写真を直接押さえつけ壁面へ接着する形態をとっている。写真の一部がシート体にかぶさることととなり写真全体を展示出来ていないという問題があった、
特許文献３において封筒型フォトフレームは封筒状に重量連結された表シート及び裏シートを有する方形の外枠とこお外枠に丁度入る形状の台紙及び透明フィルムとを備えており、外枠が半透明のトレーシングペーパーから形成され、表シートの中央部に開口窓を有し、台紙における上記開口窓と合致する位置に写真枠用止付切込を有している封筒型フォトフレームである。封筒型フォトフレームは外枠と台紙の写真枠用止付切込にずれが生じる可能性があり、意匠性を損じる可能性があった。
本発明は以上の問題点を解決するものである。
【課題を解決するための手段】
【０００５】内側がくり抜かれた、軽量素材を用いた枠とその背面を全体を覆うように設けられた透明シートの背面に、複数取付けられた両面テープにて、壁面に固定するように成したことを特徴とする。また、フォトフレームに掲示物を取り付けるには、透明シートに掲示物の大きさに応じて切り込みを設け掲示物を挿入し固定するか透明シートに掲示物の大きさに応じて透明ポケットを貼付けて掲示物を挿入固定する。
以上の構成よりなる壁張が可能なフォトフレーム
【発明の効果】
【０００６】枠を軽量素材とした枠にすることで、フォトフレーム自体が軽量化されている。また、構造的にもシンプルな構成となっており、このことでも軽量化に寄与している。軽量化の結果、両面テープの粘着力で十分に耐えられる本体に仕上げた。
このことで壁を傷つけられることなく、自由に写真等を飾れる事ができる。更に、部屋に飾ることによってインテリア的にも見た目のよいものとなっている。
軽量素材のフォトフレームは落下による破損がなく、破損した部品から起因する怪我の危険性がなく幼児の部屋などにも安心して活用できる。
【図面の簡単な説明】
【０００７】
【図１】本発明のポケット式を示す斜視図
【図２】本発明のはめ込み式を示す斜視図
【図３】本発明のフォトフレームを使用している状態図
【発明を実施するための形態】
【０００８】  以下、本発明の実施の形態について、図面を参照しながら説明する。図１は本発明のポケット式斜視図である。
枠（１）はある一定の厚みを持ったシート状のものであり、図１及び図２に示されるように枠（１）の中がくりぬかれた形態をしている。また、軽量素材としてスチレンボード、スチレンペーパー、発泡スチロールなどの軽量発泡素材やコルク、スポンジ、ウレタン・クッション材などの軽量素材を用いたものである。枠（１）は場合によって着色をほどこし、意匠的嗜好を施す。
透明シート（２）を枠（１）の背面全体的に覆うように接着剤等で接着されたものである。透明シート（２）には図１のようにポケット（５）を設けられたものと図２に示されたように切込み（７）を設けられたものの二通りがある。
両面テープ（３）は図１及び図２に示されるように透明シート（２）の背面の端に部分的に付けられており、本発明を壁面に接着する役割をする。
写真等展示物（４）は、図１及び図２に示されるように本発明が展示することを目的とする展示物自体である。
ポケット（５）は図１に示されるように透明シート（２）上に接着された透明なポケット（５）である。
ポケット（５）には挿入口（６）が設けてある透明の袋状の物、透明シート（２）の中央に接着や溶着等で取り付けてある。ポケット（５）は写真等展示物（４）の大きさに合わせた大きさのものを設置している。
挿入口（６）は図１が示すようにポケット（５）に設けられた挿入口（６）で写真を挿入するためのものである。
切込み（７）は透明シート上に図２に示されるように設けられた切込みである。図２に示されるように写真等展示物（４）である写真を透明シート（２）上に固定する役割をする。この切込み（７）は写真等展示物（４）の大きさに応じて設けられたものである。展示物である写真を透明シート（２）の背面から固定することも可能であるし、前面から固定することも可能である。
【０００９】本発明を使用する時は図１に示すように、写真等展示物（４）をポケット（５）の挿入口（６）から挿入しメインシート上に固定する。両面テープ（３）を保護しているシートをはがし、任意の好みの壁面箇所へ接着し固定する。
又は、図２に示すように写真等展示物（４）の四つ角を切込み（７）に挿入し透明シート（２）上に写真等展示物（４）を固定する。両面テープ（３）を保護してるシートをはがし、任意の好みの壁面箇所へ接着し固定する。
図１及び図２が示すように写真等展示物（４）と枠（１）は大きさが明らかに異なっている。使用時において透明シート（２）から壁面が見えるようになっている。写真等展示物（４）と枠（１）は大きさに明らかな相違を持たせる事で、写真等展示物（４）が一層引き立つように意匠的な工夫がされている。
図３には写真等展示物（４）の使用状態例として壁面に本発明のフォトフレームを複数張って使用している様子を示している。
【符号の説明】
【００１０】１枠、２透明シート、３両面テープ、４写真等展示物、５ポケット、６挿入口、７切込み
【図１】
2014094259.tif 000003
【図２】
2014094259.tif 000004
【図３】
2014094259.tif 000005